(57)【要約】【課題】位置情報を用いて予め設定されている情報を基に、適切な通話対象を判断し、その通話対象のみに回線を接続する。【解決手段】  少なくとも１の通話対象端末装置を含むグループを選択し、そのグループ内で端末装置同士の通話を行う場合、端末装置１１−１〜１１−３において、自端末の現在位置に関する情報である位置情報を取得し、取得した位置情報を、通信要求と共に送出する。メンバ管理サーバ１００では、端末装置からの通信要求に応答してその端末装置のユーザの属性及びその現在位置に応じてグループを選択する。【効果】身体障害者などが施設を利用する際に補助を依頼したい場合、係員を呼び出すことになり、場所（施設）により通話相手（係員）は異なる。従来手法では、場所ごとのグループを作り、利用者がそのグループを意識して使い分ける必要があったが、本システムによれば、そのように意識する必要はない。【選択図】      図１
2006295460.tif 000002
【特許請求の範囲】
【請求項１】
少なくとも１の通話対象端末装置を含むグループを選択して、該グループ内で端末装置同士の通話を行うためのサーバ装置であって、端末装置からの通信要求に応答して該端末装置のユーザの属性及び該端末装置の現在位置に応じてグループを選択する選択手段を含むことを特徴とする通話対象選択サーバ装置。
【請求項２】
前記通信要求を送出した端末装置の現在位置に関する情報である位置情報を取得する端末位置情報取得手段を更に含むことを特徴とする請求項１記載の通話対象選択サーバ装置。
【請求項３】
前記選択手段は、前記通信要求を送出した端末装置の現在位置から一定の距離内に存在している端末装置を通話対象端末装置として選択することを特徴とする請求項１又は２記載の通話対象選択サーバ装置。
【請求項４】
前記選択手段は、前記通信要求を送出した端末装置の現在位置から最も近い位置に存在している端末装置を通話対象端末装置として選択することを特徴とする請求項１又は２記載の通話対象選択サーバ装置。
【請求項５】
少なくとも１の通話対象端末装置を含むグループを選択して、該グループ内で端末装置同士の通話を行うために用いる端末装置であって、自端末の現在位置に関する情報である位置情報を取得する位置情報取得手段と、前記位置情報取得手段により取得した位置情報を、通信要求と共に送出する送出手段とを含むことを特徴とする端末装置。
【請求項６】
少なくとも１の通話対象端末装置を含むグループを選択して、該グループ内で端末装置同士の通話を行うために用いる通話対象選択システムであって、
自端末の現在位置に関する情報である位置情報を取得する位置情報取得手段と、前記位置情報取得手段により取得した位置情報を、通信要求と共に送出する送出手段とを含む端末装置と、
前記端末装置からの通信要求に応答して該端末装置のユーザの属性及び該端末装置の現在位置に応じてグループを選択する選択手段を含む通話対象選択サーバ装置と、
を有することを特徴とする通話対象選択システム。
【請求項７】
少なくとも１の通話対象端末装置を含むグループを選択して、該グループ内で端末装置同士の通話を行うための通話対象選択方法であって、端末装置の現在位置に関する情報である位置情報を取得する位置情報取得ステップと、前記位置情報取得ステップにおいて取得した位置情報と端末装置からの通信要求に応答して該端末装置のユーザの属性とに応じてグループを選択する選択ステップとを含む特徴とする通話対象選択方法。
【発明の詳細な説明】
【技術分野】
【０００１】
本発明は通話対象選択サーバ装置、端末装置、通話対象選択システム、通話対象選択方法に関し、特にＰＴＴ（Ｐｕｓｈ−Ｔｏ−Ｔａｌｋ）機能を実現するための通話対象選択サーバ装置、端末装置、通話対象選択システム、通話対象選択方法に関する。
【背景技術】
【０００２】
グループ通話を実現する技術には、例えば特許文献１及び２に記載のものがある。特許文献１では、グループ発呼要求を受けた場合に、その要求に含まれる着呼先番号による移動機を選択することで、会議形式のグループ通話を実現している。また、特許文献２では、クロスネットを構成してグループ通話を実現している。
ところで、複数の相手と通話する場合、通話要求を出した際に事前に設定したメンバに対して回線が接続され、音声が送信されるシステムも知られている。この種の携帯電話システムとして、ＰＴＴが知られている。
【０００３】
ＰＴＴは、"押して"、"話す"というトランシーバのような通話スタイルを実現するための技術である。ＰＴＴでは、携帯電話機のように相手の電話番号をダイヤルするのではなく、通話可能な相手を選択しボタンを押すことで、相手に接続できる。１対１のやり取りだけではなく、予め定めたグループ内で複数の相手との同時接続も可能である。すなわち、ＰＴＴでは、通話の目的によってユーザが事前に設定したグループを選択することにより通話対象となるメンバを切り替えることができる。
【０００４】
ＰＴＴは、インターネットプロトコルを利用してデータ通信網で通話を行う、いわゆるＶｏＩＰの１つであり、携帯電話機やＰＤＡといった携帯端末向けに開発されている。特に、携帯電話向けに標準仕様として固まったのが「Ｐｕｓｈ−ｔｏ−Ｔａｌｋ  ｏｖｅｒ  Ｃｅｌｌｕｌａｒ（ＰｏＣ）Ｐｈａｓｅ  Ｏｎｅ」である。これについては、業界団体であるＯＭＡ（Ｏｐｅｎ  Ｍｏｂｉｌｅ  Ａｌｌｉａｎｃｅ）によって標準化が進められている。
【特許文献１】特開平１０−９８５３２号公報
【特許文献２】特開平９−２６１７４１号公報
【発明の開示】
【発明が解決しようとする課題】
【０００５】
しかしながら、ＰＴＴでは事前に設定しているグループのメンバに対してのみ、かつ、そのグループの全員に音声を送信することしかできない。そのため、同じ目的で通話する相手グループが複数存在した場合はそれぞれ別のグループに登録する必要があった。
また、同じ目的の場合であっても、場所などによって通話相手が異なることがあり、通話するグループをユーザが意識して操作、選択する必要があった。
本発明は上述した従来技術の問題点を解決するためになされたものであり、その目的は位置情報を用いて予め設定されている情報を基に、ネットワークが適切な通話対象を判断し、自動的にその通話対象のみに回線を接続し、ユーザの利便性を向上させることのできる通話対象選択サーバ装置、端末装置、通話対象選択システム、通話対象選択方法を提供することである。
【課題を解決するための手段】
【０００６】
本発明の請求項１による通話対象選択サーバ装置は、少なくとも１の通話対象端末装置を含むグループを選択して、該グループ内で端末装置同士の通話を行うためのサーバ装置であって、端末装置からの通信要求に応答して該端末装置のユーザの属性及び該端末装置の現在位置に応じてグループを選択する選択手段を含むことを特徴とする。このように構成すれば、同じ目的であっても、場所などによって異なる通話相手を自動的に選択できる。
【０００７】
本発明の請求項２による通話対象選択サーバ装置は、請求項１において、前記通信要求を送出した端末装置の現在位置に関する情報である位置情報を取得する端末位置情報取得手段（例えば、図１中の位置情報管理サーバ１２０に対応）を更に含むことを特徴とする。このように構成すれば、例えば、端末装置の在圏基地局エリアに基づいて、端末装置の現在位置を特定し、その位置に応じて通話相手を自動的に選択できる。
【０００８】
本発明の請求項３による通話対象選択サーバ装置は、請求項１又は２において、前記選択手段は、前記通信要求を送出した端末装置の現在位置から一定の距離内に存在している端末装置を通話対象端末装置として選択することを特徴とする。このように構成すれば、例えば、端末装置の在圏基地局エリアに基づいて、端末装置の現在位置を特定し、一定の距離内に存在している通話相手を自動的に選択できる。
【０００９】
本発明の請求項４による通話対象選択サーバ装置は、請求項１又は２において、前記選択手段は、前記通信要求を送出した端末装置の現在位置から最も近い位置に存在している端末装置を通話対象端末装置として選択することを特徴とする。このように構成すれば、例えば、端末装置の在圏基地局エリアに基づいて、端末装置の現在位置を特定し、最も近い位置に存在している通話相手を自動的に選択できる。
【００１０】
本発明の請求項５による端末装置は、少なくとも１の通話対象端末装置を含むグループを選択して、該グループ内で端末装置同士の通話を行うために用いる端末装置であって、自端末の現在位置に関する情報である位置情報を取得する位置情報取得手段と、前記位置情報取得手段により取得した位置情報を、通信要求と共に送出する送出手段とを含むことを特徴とする。このように構成すれば、例えば、端末装置の現在の緯度経度に基づいて、通話相手を自動的に選択させることができる。
【００１１】
本発明の請求項６による通話対象選択システムは、少なくとも１の通話対象端末装置を含むグループを選択して、該グループ内で端末装置同士の通話を行うために用いる通話対象選択システムであって、
自端末の現在位置に関する情報である位置情報を取得する位置情報取得手段（例えば、図２中の位置取得部１６に対応）と、前記位置情報取得手段により取得した位置情報を、通信要求と共に送出する送出手段（例えば、図２中の通信部１５に対応）とを含む端末装置と、
前記端末装置からの通信要求に応答して該端末装置のユーザの属性及び該端末装置の現在位置に応じてグループを選択する選択手段を含む通話対象選択サーバ装置と、
を有することを特徴とする。このように構成すれば、同じ目的であっても、場所などによって異なる通話相手を自動的に選択できる。
【００１２】
本発明の請求項７による通話対象選択方法は、少なくとも１の通話対象端末装置を含むグループを選択して、該グループ内で端末装置同士の通話を行うための通話対象選択方法であって、端末装置の現在位置に関する情報である位置情報を取得する位置情報取得ステップ（例えば、図８中のステップＳ２０３に対応）と、前記位置情報取得ステップにおいて取得した位置情報と端末装置からの通信要求に応答して該端末装置のユーザの属性とに応じてグループを選択する選択ステップ（例えば、図８中のステップＳ２０４に対応）とを含む特徴とする。このように構成すれば、同じ目的であっても、場所などによって異なる通話相手を自動的に選択できる。
【発明の効果】
【００１３】
以上説明したように本発明によれば、ＰＴＴ機能を具備した携帯電話システムにおいて、同一グループ内で条件を管理することにより、グループ内で、場所などによって異なる通話相手を自動的に選択でき、音声を通知することができるという効果がある。
【発明を実施するための最良の形態】
【００１４】
以下、本発明の実施の形態を、図面を参照して説明する。なお、以下の説明において参照する各図では、他の図と同等部分は同一符号によって示されている。
（通話対象選択システム）
図１は本発明による通話対象選択システムの構成を示すブロック図である。同図において、通話対象選択システムは、複数の端末装置１１−１〜１１−３と、メンバ管理サーバ１００と、位置情報管理サーバ１２０とを含んで構成され、それらがネットワーク１３０を介して接続されている。なお、本例では、メンバ管理サーバ１００と位置情報管理サーバ１２０とを別々のサーバ装置によって実現しているが、これらを同一のサーバ装置によって実現しても良い。
【００１５】
（端末装置）
図１中の端末装置１１−ｉ（ｉ＝１，２，３）の構成例が図２に示されている。同図（ａ）に示されているように、端末装置１１−ｉは、装置全体の制御を行う制御部１２と、通信要求を送出する際に操作するためのＰＴＴスイッチ１３と、各種のキースイッチや表示画面などからなりグループを選択する操作などを行うための入出力部１４と、外部との通信を行うための通信部１５と、周知のＧＰＳ（Ｇｌｏｂａｌ  Ｐｏｓｉｔｉｏｎｉｎｇ  Ｓｙｓｔｅｍ）により自端末装置の位置情報を取得するための位置取得部１６とを含んで構成されている。なお、ＡＮＴはアンテナである。
【００１６】
同図に示されているように、端末装置１１−ｉにはＰＴＴスイッチ１３が具備されており、このＰＴＴスイッチ１３を押下することで、選択されているグループに対する通話要求をネットワーク側に送信すると同時に自装置の位置情報を通知することができる。すなわち、位置取得部１６によって取得した位置情報を、通信部１５によって送出する。
なお、ネットワーク側のサーバ内において、在圏エリアに基づいて端末装置の位置を特定する場合には、位置取得部１６を設ける必要はない。したがって、その場合の端末装置の構成は、同図（ｂ）に示されているようになる。
【００１７】
（メンバ管理サーバ）
図１に戻り、メンバ管理サーバ１００は、サーバ全体の制御を行う制御装置１０１と、通信回線の制御を行う回線制御装置１０２と、メンバとグループとの対応情報を管理するメンバ管理データベース１０３と、端末装置を使用するユーザのプロファイル情報を管理するユーザ情報データベース１０４とから構成されており、端末装置の位置情報を管理する位置情報管理サーバ１２０及び端末装置１１−１〜１１−３とネットワーク１３０を介して接続されている。
【００１８】
（ユーザ情報データベース）
ユーザ情報データベース１０４には、各グループＡ〜Ｆ…と、各グループに対する条件とが事前に登録されている。この条件は、例えば、図３に示されているように、「位置」、「距離」、「最短」、「プロファイル」などである。「位置」は、現在位置に基づいて端末装置を選択する場合に設定される。「距離」は、通信要求を送出した端末装置との距離がある範囲内にある端末装置を選択する場合に設定される。「最短」は、通信要求を送出した端末装置との距離が最も短い端末装置を選択する場合に設定される。「プロファイル」は、プロファイル情報すなわちユーザ属性に基づいて端末装置を選択する場合に設定される。
また、ユーザ情報データベース１０４には、各条件に対応する設定値およびメンバが、事前に登録されている。ユーザ情報データベース１０４に登録される情報の例が図４〜図７に示されている。
【００１９】
図４を参照すると、グループＡについては、基地局エリア（以下、単に「エリア」と記載する）１のメンバがユーザ２及びユーザ３、エリア２のメンバがユーザ４及びユーザ５、エリア３のメンバがユーザ６、ユーザ７及びユーザ８、である。また、グループＤについては、エリア２のメンバがユーザ１及びユーザ４、エリア４のメンバがユーザ４、ユーザ７及びユーザ８、である。
【００２０】
図５〜図７に関する説明は、後述する。
（位置情報管理サーバ）
また、位置情報管理サーバ１２０は、サーバ全体の制御を行う制御装置１２１と、通信回線の制御を行う回線制御装置１２２と、端末の位置情報を管理する位置情報データベース１２３とを含んで構成されている。位置情報データベース１２３には、例えば、端末装置１１−ｉから送出された位置情報や、端末装置の在圏基地局エリアに基づいて特定した、端末装置１１−ｉの位置情報が格納されている。
【００２１】
（システムの動作）
図８は本システムにおける処理フローを示すフローチャートである。同図において、ユーザの使用している端末装置からの通話要求（ステップＳ２０１）を受信したメンバ管理サーバでは、通話を要求されたグループにはメンバの選択条件が存在するかどうかを確認する（ステップＳ２０２）。
この確認の結果、その選択条件が図３に示すように位置情報に関連付けられているメンバが呼び出されることに設定されていた場合は、位置情報管理サーバからユーザの位置情報を取得し（ステップＳ２０３）、メンバ管理データベースから当該ユーザの情報と位置情報に基づいたメンバ情報を取得する（ステップＳ２０４）。例えば、要求通話を発信したユーザがエリア１に存在した場合、メンバはユーザ２、ユーザ３となる（図４参照）。
制御装置は取得したメンバ情報に存在する端末に対して通話要求を転送し（ステップＳ２０５）、通話要求を受けた端末が応答すると回線が接続され（ステップＳ２０６）、通話が可能となる（ステップＳ２０７）。
【００２２】
（ある距離範囲内のメンバを選択）
また、選択条件が距離に関連付けられているメンバが呼び出されることになっていた場合は、メンバ管理データベースよりメンバ情報を取得し、さらに位置情報管理サーバより各メンバの位置情報を取得する。このようにして取得した情報の例が図５に示されている。同図を参照すると、グループＢでは、半径距離５０メートル内に位置しているメンバはユーザ１、ユーザ４、ユーザ５及びユーザ６である。また、グループＥでは、半径距離２キロメートル内に位置しているメンバはユーザ６、ユーザ７、ユーザ８、ユーザ９…である。
取得した各メンバの位置情報から、通話要求を送出したユーザから設定されている距離内に存在している端末装置を選択し、その端末装置に対して通話要求を転送する。そして、通話要求を受けた端末装置が応答すると回線が接続され、通話が可能となる。
【００２３】
（最短距離のメンバを選択）
また、選択条件が最短距離にあるメンバが呼び出されることになっていた場合は、メンバ管理データベースより各メンバ情報を取得し、さらに位置情報管理サーバより各メンバの位置情報を取得する。このようにして取得した情報の例が図６に示されている。同図を参照すると、グループＣのメンバはユーザ１、ユーザ２、ユーザ５及びユーザ６である。
取得した各メンバの位置情報から、通話要求を上げたユーザから最も近い位置に存在している端末装置を選択し、その端末装置に対して通話要求を転送する。そして、通話要求を受けた端末装置が応答すると回線が接続され、通話が可能となる。
【００２４】
（ユーザ属性に基づいてメンバを選択）
また、図８中のステップＳ２０２において、プロファイル情報すなわちユーザ属性情報によりメンバが変更される設定条件の場合は、メンバ管理データベースより、メンバ情報を取得し、さらにユーザ情報データベースよりユーザのプロファイル情報を取得する。このようにして取得した情報の例が図７に示されている。同図を参照すると、グループＦのプロファイルとしては、「視覚障害者」、「聴覚障害者」、「健常者」がある。そして、「視覚障害者」のメンバはユーザ２及びユーザ３、「聴覚障害者」のメンバはユーザ４及びユーザ５、「健常者」のメンバはユーザ６、ユーザ７及びユーザ８である。
本例では、このように取得した各メンバの位置情報から、通話要求を送出したユーザから最も近い位置に存在している端末装置を選択し、その端末装置に対して通話要求を転送する。そして、通話要求を受けた端末装置が応答すると回線が接続され、通話が可能となる。
【００２５】
（適用例）
本システムの具体的な適用例について、図９を参照して説明する。身体障害者などが施設を利用する際に補助を依頼したい場合、係員を呼び出すことになる。その場合、場所（すなわち施設）により通話相手（すなわち係員）は異なる。
従来手法である同図（ａ）を参照すると、施設１ではメンバＡ又はＢを呼び出す必要があり、施設２ではメンバＣ又はＤを呼び出す必要がある。つまり、施設という場所ごとのグループすなわち「施設１の補助」と「施設２の補助」とを予め作成しておき、端末装置のユーザがそのグループを意識して使い分ける必要がある。
【００２６】
これに対し、同図（ｂ）を参照すると、本システムにおいては、「補助」というグループにメンバＡ〜Ｄを予め登録しておけば、施設という場所ごとに異なるメンバを自動的に呼び出すことができる。「補助」という目的名のグループを指定すれば、位置情報に応じて、施設１ではメンバＡ又はＢを、施設２ではメンバＣ又はＤを、自動的に呼び出すことができる。この場合、端末装置のユーザは、グループを意識して使い分ける必要がない。
要するに、従来手法によると、場所ごとのグループを作り、利用者がそのグループを意識して使い分ける必要があったが、本システムによれば、そのように意識する必要はなく、利便性が良い。
【００２７】
（通話対象選択方法）
以上説明した通話対象選択システムにおいては、以下のような通話対象選択方法が実現されている。すなわち、少なくとも１の通話対象端末装置を含むグループを選択して、該グループ内で端末装置同士の通話を行うための通話対象選択方法であって、端末装置の現在位置に関する情報である位置情報を取得する位置情報取得ステップと、前記位置情報取得ステップにおいて取得した位置情報と端末装置からの通信要求に応答して該端末装置のユーザの属性とに応じてグループを選択する選択ステップとを含む特徴とする。このように構成すれば、同じ目的であっても、場所などによって異なる通話相手を自動的に選択できる。
【産業上の利用可能性】
【００２８】
本発明は、ＰＴＴ機能を具備した携帯電話システムに利用することができる。
【図面の簡単な説明】
【００２９】
【図１】本発明による通話対象選択システムの構成を示すブロック図である。
【図２】図１中の端末装置の構成例を示すブロック図である。
【図３】図１の通話対象選択システムにおける、グループとメンバとの選択条件の関連を示す図である。
【図４】図１の通話対象選択システムにおける、位置情報とメンバの関連を示す図である。
【図５】図１の通話対象選択システムにおける、距離情報とメンバの関連を示す図である。
【図６】図１の通話対象選択システムにおける、最短距離情報とメンバの関連を示す図である。
【図７】図１の通話対象選択システムにおける、ユーザのプロファイル情報とメンバとの関連を示す図である。
【図８】本発明による通話対象選択システムにおける通話要求時の動作を示すフローチャートである。
【図９】本システムの具体的な適用例を示す図である。
【符号の説明】
【００３０】
１１−１〜１１−３  端末装置
１２  制御部
１３  ＰＴＴスイッチ
１４  入出力部
１５  通信部
１６  位置取得部
１００  メンバ管理サーバ
１０１  制御装置
１０２  回線制御装置
１０３  メンバ管理データベース
１０４  ユーザ情報データベース
１２０  位置情報管理サーバ
１２１  制御装置
１２２  回線制御装置
１２３  位置情報データベース
１３０  ネットワーク
【図１】
2006295460.tif 000003
【図２】
2006295460.tif 000004
【図３】
2006295460.tif 000005
【図４】
2006295460.tif 000006
【図５】
2006295460.tif 000007
【図６】
2006295460.tif 000008
【図７】
2006295460.tif 000009
【図８】
2006295460.tif 000010
【図９】
2006295460.tif 000011